(57)【要約】    【課題】  紐を確実に緊締できるようにした紐の緊締具を提供する。    【解決手段】  緊締具(10)をケース(30)と固定具(40)とから構成する。ケースには基部側の狭い開口(31)と先端側の広い開口(32)との間に左右の受け辺(33)を形成する。受け辺には基部側から先端側に向けて相互の間隔が広くなるように傾斜して延びる傾斜部分を設ける。固定具には左右の押付け辺(42)を形成し、押付け辺には先端側から後端側に向けて相互の間隔が広くなるように傾斜して延びる傾斜部分を設ける。固定具をケース内にスライド可能に内蔵し、固定具の押付け辺とケースの受け辺とで紐を挿通する左右の紐通路(50)を構成し、固定具をケースの基部側に押し込むことにより紐通路内の紐を押付け辺と受け辺との間に挟持し、紐がケース基部側に引っ張られると固定具がケースの基部側にさらにスライドされる。【選択図】  図４
2006136672.tif 000002
【特許請求の範囲】
【請求項１】
２本の紐を緊締するのに用いられる緊締具であって、
基部側には狭い開口、先端側には広い開口が形成され、上記基部側及び先端側の両開口の間には左右の受け辺が形成され、該受け辺には上記基部側から先端側に向けて相互の間隔が広くなるように傾斜して延びる傾斜部分が設けられている中空状のケースと、
左右の押付け辺が形成され、該押付け辺には先端側から後端側に向けて相互の間隔が広くなるように傾斜して延びる傾斜部分が設けられ、上記先端側から上記ケースの先端側開口に挿入されて上記ケース内にスライド可能に内蔵されることにより上記押付け辺が上記ケースの受け辺とともに紐を挿通する左右の紐通路を構成し、上記ケースの基部側にスライドされることにより上記紐通路内の紐を上記押付け辺と上記ケース受け辺との間に挟持し、上記紐が上記ケース基部側に引っ張られることにより上記ケースの基部側にさらにスライドされる固定具と、を備えたことを特徴とする紐の緊締具。
【請求項２】
上記固定具には弾性を有する左右のアーム部が形成され、該アーム部に上記押付け辺が形成されている請求項１記載の紐の緊締具。
【請求項３】
上記固定具には弾性変形可能な部分が設けられ、該弾性変形可能な部分には係止部が形成され、上記ケース内面には上記係止部を係止する係止受部が形成されている一方、上記固定具には上記係止部が上記係止受部から離脱するように上記弾性変形可能な部分を弾性変形させるための摘まみが形成されている請求項１又は２記載の紐の緊締具。
【請求項４】
上記固定具の押付け辺には上記紐に喰い込む歯が形成されている請求項１ないし３のいずれかに記載の紐の緊締具。
【請求項５】
上記ケースの受け辺には上記紐に喰い込む歯が形成されている請求項１記載の紐の緊締具。
【請求項６】
上記ケースには上記固定具のスライドを案内するガイド部が形成され、上記固定具には上記ガイド部と嵌まり合うガイド受け部が形成されている請求項１記載の紐の緊締具。
【発明の詳細な説明】
【技術分野】
【０００１】
本発明は紐の緊締具に関し、特に靴紐等の紐を確実に緊締できるようにした緊締具に関する。
【背景技術】
【０００２】
例えば、紐締め式の靴は長時間履いても疲れにくい靴であるが、歩行中に足から大きな力を受けると、靴紐の結び目が弛んで解けてしまうことがある。
【０００３】
これに対し、中空状のケース内に円形の固定具を軸支し、中空ケースと固定具によって２つの通路を構成して紐を挿通し、固定具を弾性部材により又は押し込みにより紐に押し付けて紐を緊締するようにした緊締具が提案されている（特許文献１、特許文献２）。
【特許文献１】特開平０７−１６１０５号公報
【特許文献２】米国特許第３５６４６７０号明細書
【発明の開示】
【発明が解決しようとする課題】
【０００４】
しかし、上記特許文献１記載の紐の緊締具では固定具が円形となっているので、固定具と紐との接触長さが短く、紐に引き抜き方向に大きな荷重が加わると紐が抜けて弛んでしまうおそれがあった。
【０００５】
本発明はかかる問題点に鑑み、紐を確実に緊締できるようにした紐の緊締具を提供することを課題とする。
【課題を解決するための手段】
【０００６】
そこで、本発明に係る紐の緊締具は、２本の紐を緊締するのに用いられる緊締具であって、基部側には狭い開口、先端側には広い開口が形成され、上記基部側及び先端側の両開口の間には左右の受け辺が形成され、該受け辺には上記基部側から先端側に向けて相互の間隔が広くなるように傾斜して延びる傾斜部分が設けられている中空状のケースと、左右の押付け辺が形成され、該押付け辺には先端側から後端側に向けて相互の間隔が広くなるように傾斜して延びる傾斜部分が設けられ、上記先端側から上記ケースの先端側開口に挿入されて上記ケース内にスライド可能に内蔵されることにより上記押付け辺が上記ケースの受け辺とともに紐を挿通する左右の紐通路を構成し、上記ケースの基部側にスライドされることにより上記紐通路内の紐を上記押付け辺と上記ケース受け辺との間に挟持し、上記紐が上記ケース基部側に引っ張られることにより上記ケースの基部側にさらにスライドされる固定具と、を備えたことを特徴とする。
【０００７】
本発明の特徴の１つはケースの受け辺及び固定具の押付け辺に傾斜部分を設け、この受け辺と押付け辺との間に紐を挟持するようにした点にある。
【０００８】
これにより、紐が抜ける方向であるケースの基部側に引っ張られると、固定具がケースの基部側にさらにスライドされ、紐を挟持する力がより一層大きくなり、紐が確実に緊締され、弛んで解けてしまうことはない。
【０００９】
ケースの受け辺及び固定具の押付け辺はその全部が傾斜していてもよく、一部に傾斜部分を含んでいてもよい。
【００１０】
押付け辺は固定具の左右の両側部分に形成されていればよいが、紐をより確実に締結する上で弾性を有するのがよい。例えば、固定具には弾性を有する左右のアーム部、例えば片持ち式の左右のアーム部を形成し、アーム部に押付け辺を形成することができる。
【００１１】
上述のように紐が抜ける方向に引っ張られると、固定具がケースの基部側にさらにスライドされ、紐を挟持する力が増大することにより、紐が弛むのが防止されるのであるが、紐をより確実に緊締する上で固定具がケースから抜け止めされるのが好ましい。
【００１２】
そこで、固定具には弾性変形可能な部分を設け、この弾性変形可能な部分には係止部を形成し、ケース内面には係止部を係止する係止受部を形成する一方、固定具には係止部が係止受部から離脱するように弾性変形可能な部分を弾性変形させるための摘まみを形成するのがよい。
【００１３】
固定具の押付け辺及びケースの受け辺は平坦な辺としてもよいが、紐を確実に挟持する上で、紐にくい込み歯を形成するのがよい。即ち、固定具の押付け辺には紐に喰い込む歯が形成されているのがよい。また、ケースの受け辺には紐に喰い込む歯が形成されているのがよい。
【００１４】
また、固定具は単にケース内にスライド可能に内蔵してもよいが、紐を確実に緊締する上で、ケースに固定具のスライドを案内するガイド部を設けるのがよい。即ち、ケースには固定具のスライドを案内するガイド部が形成される一方、固定具にはガイド部と嵌まり合うガイド受け部が形成されているのが好ましい。ガイド部及びガイド受け部は一方がガイド溝、他方がガイド溝と嵌まり合う突起とすることができる。
【００１５】
ケース及び固定具はどのような材質でもよいが、入手の容易さを考慮すると、金属材料や硬質のプラスチック材料が好ましい。
【発明を実施するための最良の形態】
【００１６】
以下、本発明を図面に示す具体例に基づいて詳細に説明する。図１及び図２は本発明に係る紐の緊締具の好ましい実施形態を示し、これは靴紐の緊締に適用した例である。図において、靴１０には左右の羽根１１が設けられ、該左右の羽根１１の間には靴べろ１２が設けられ、又左右の羽根１１には複数の鳩目穴が長手方向にほぼ等しい間隔で並べて形成されている。
【００１７】
この鳩目穴には最下段から最上段に向けて靴紐１３が適切な方法、例えばシングル、パラレル、オーバーラップ、アンダーラップ等の方法によって通され、靴紐１３の残余部分１４には本例の緊締具２０がセットされている。
【００１８】
この緊締具２０は中空状のケース３０と固定具４０とから構成され、ケース３０及び固定具４０は適切なプラスチック材料を用いて製作されている。
【００１９】
ケース３０はほぼ四角形の中空状をなし、ケース３０の基部側には狭い開口３１が、先端側には広い開口３２が形成され、基部側の開口３１と先端側の開口３２との間には左右の受け辺３３が形成され、該受け辺３３の大部分は基部側から先端側に向けて相互の間隔が次第に広くなるように傾斜して延びる傾斜部分となっており、この傾斜部分には多数の喰い込み歯が形成されている。
【００２０】
他方、固定具４０は左右両側に片持ち式のアーム部４１が形成され、アーム部４１の外縁には押付け辺４２となっている。この押付け辺４２には多数の喰い込み歯が形成され、又押付け辺４２の大部分は先端側から後端側に向けて相互の間隔が広くなるように傾斜して延びる傾斜部分となっている。
【００２１】
この固定具４０はその先端側からケース３０の先端側開口３２に挿入されてケース３０内にスライド可能に内蔵され、固定具４０の押付け辺４２とケース３０の受け辺３３とによって紐１４を挿通する左右の紐通路５０が構成されるようになっている。
【００２２】
また、ケース３０の背面壁にはガイド長穴（ガイド部）３５が固定具４０のスライド方向に延びて形成され、固定具４０にはガイド長穴３５に嵌まり合う突起（ガイド受け部）４４が形成されている。
【００２３】
さらに、固定具４０の中央部分には弾性変形し得る部分４６が形成され、該弾性変形し得る部分４６の表面には複数の係止突起（係止部）４５が固定具４０のスライド方向に並べて形成される一方、ケース３０の内面には図示していないが係止突起４５を係止する係止凹部（係止受部）が形成されている。
【００２４】
また、固定具４０の弾性変形可能な部分４６の先端には係止突起４５が係止凹部から離脱するように弾性変形可能な部分４６を弾性変形させるため摘まみ４３が形成され、ケース３０には摘まみ４３を収容する凹部３４が形成されている。
【００２５】
本例の緊締具を用いる場合、図４の(a)に示されるように、靴紐１３の２本の残余部分１４をケース３０の基部側の開口３１から先端側の開口３２に通し、ケース３０を靴紐１３の２本の残余部分１４の根元まで移動させた後、ケース３０の先端側の開口３２から出た２本の靴紐１３の残余部分１４の間に固定具４０を入れ、固定具４０の先端側をケース３０の先端側の開口３２に押し込む。
【００２６】
すると、固定具４０の押込み辺４２とケース３０の受け辺３３とによって靴紐１３の通路（紐通路）５０が構成され、固定具４０の左右のアーム部４１が内方に弾性変形されながら、固定具４０の押込み辺４２とケース３０の受け辺３３とによって通路５０に通された靴紐１３の余剰部分１４が挟持され、さらに押込み辺４２の歯及び受け辺３３の歯が靴紐１３の余剰部分１４に喰い込み、これによって図４の(b)に示されるように靴紐１３の余剰部分１４が緊締される。
【００２７】
同時に、固定具４０の係止突起４５がケース３０内面の係止凹部に係止されて固定具４０がケース３０から抜け止めされる。
【００２８】
何らかの原因で靴紐１３の余剰部分１４にこれを引き抜く方向の荷重Ｆが加わると、固定具４０をさらに押し込む方向に荷重が加わり、靴紐１３の余剰部分１４が押込み辺４２と受け辺３３との間により強く挟持されるので、靴紐１３の緊締が弛むことはない。
【００２９】
固定具４０が押し込み方向に大きくずれると、次の係止突起４５が係止凹部によって係止されるので、固定具４０がケース３０から抜けるおそれはない。
【００３０】
靴紐１３の緊締を弛める場合には固定具４０の摘まみ４３をケース３０に対して垂直な方向に押し込むと、弾性変形しえる部分４６が弾性変形して係止突起４５が係止凹部から外れるので、摘まみ４３を持ってケース３０の先端側に引っ張ると、固定具４０がケース３０の先端側開口３２から少し引き抜かれ、固定具４０の押込み辺４２が靴紐１３の余剰部分１４から離れ、余剰部分は自由となるので、後はケース３０を持って靴紐１３の余剰部分１４の先端側に滑らせれば靴紐１３の緊締を解くことができる。
【００３１】
なお、緊締具１０はこれで靴紐１３の余剰部分１４を緊締すると、余剰部分１４の根元に起立した状態となり、邪魔になるおそれがある。かかる場合、ケース３０にＵ字状又はＪ字状のフックを設け、フックを鳩目の間に通した靴紐１３に引っ掛けて羽根１１に沿わせるようにしてもよい。また、緊締具１０の裏面と靴１０の靴べろ１２又は靴べろ１２のレースホルダ（靴べろと靴紐とを連携させる部分）に面ファスナーやボタン等の連結具を取付け、緊締具１０を靴べろ１２に取付け保持するようにしてもよい。
【００３２】
また、緊締具１０を透明な材料で内部が見えるように製作し、又緊締具１０を着色し、緊締具１０の表面に模様入りシール等を貼着し、さらには緊締具１０を丸みを帯びた立体形状に製作することにより、靴の装飾品として利用することもできる。
【図面の簡単な説明】
【００３３】
【図１】本発明に係る紐の緊締具の好ましい実施形態を備えた靴を示す概略斜視図である。
【図２】上記実施形態におけるケースと固定具の形状を示す図である。
【図３】上記実施形態における固定具の形状を示す図である。
【図４】上記実施形態における緊締方法を模式的に示す図である。
【符号の説明】
【００３４】
１０    紐締め式靴
１３    靴紐
１４    余剰部分
２０    緊締具
３０    ケース
３１    基部側開口
３２    先端側開口
３３    受け辺
３５    ガイド長穴（ガイド部）
４０    固定具
４１    アーム部
４２    押込み辺
４３    摘まみ
４４    突起（ガイド受け部）
４５    係止突起（係止部）
４６    弾性変形可能な部分
５０    通路（紐通路）
【図１】
2006136672.tif 000003
【図２】
2006136672.tif 000004
【図３】
2006136672.tif 000005
【図４】
2006136672.tif 000006